(57)【要約】【課題】  録画予約の実行前に、極力ユーザの要求を優先して可変指向性アンテナの指向性を適正化できる放送受信装置を提供する。【解決手段】  録画予約時刻の所定時間前（Ｓ１）に、手動設定がＯＮに設定されていると判断したときには、手動設定処理を実行して（Ｓ５）、予約チャンネルの受信に適するアンテナの受信方向候補を装置側で自動的に選別し、選別した候補の中からユーザが所望の方向を選択できるようにする。その場合、一定時間が経過してもユーザの操作が検出されないか、若しくはユーザの選択操作が録画時間に間に合いそうになければ（Ｓ６でＹＥＳ）、自動的にアンテナの受信方向を決定する（Ｓ８またはＳ９）。【選択図】        図２
2006129013.tif 000002
【特許請求の範囲】
【請求項１】
指向性を可変可能な可変指向性アンテナと接続される放送受信装置であって、
放送チャンネルのうちの録画が予約されている予約チャンネルに対応する録画開始時刻の所定時間前であるか否かを判別する所定時間判別手段と、
該所定時間判別手段が前記録画開始時刻の所定時間前であると判別したときに、所定のメッセージを画面に表示するためのメッセージ表示信号を出力するメッセージ表示信号出力手段と、
前記可変指向性アンテナに対して、指向性の切換えを指令する指向性切換信号を出力する切換信号出力部と、
該切換信号出力部から前記指向性切換信号を出力することによって前記可変指向性アンテナの指向性を順次変化させて、前記予約チャンネルの放送の受信に適する指向性を選別する指向性選別手段と、
該指向性選別手段の選別結果に含まれる各々の指向性で前記予約チャンネルによる放送を受信したときの各映像データを記憶する映像データ記憶手段と、
該映像データ記憶手段が記憶している複数の映像データを一画面にまとめて展開した映像を前記選別結果を示す映像として生成する手段であって、複数の映像データを一画面にまとめて展開するときに、一の映像データの一部を他の映像データの一部と重ね合わせる重ね合わせ機能を備える選別結果映像生成手段と、
該選別結果映像生成手段が生成した前記選別結果を示す映像を前記画面に表示するための選別結果表示信号を出力する選別結果表示信号出力手段と、
前記メッセージ表示信号の出力後に入力される、前記指向性選別手段の選別結果の中からユーザが指定した指向性を示す指向性指定信号に基づいて、前記予約チャンネルに対応する前記可変指向性アンテナの指向性を特定する手動型指向性特定手段と、
前記予約チャンネルに対応する録画開始時刻の予め定めた制限時間前までに前記指向性指定信号が入力されないときに、予め記憶された設定データを参照することによって、前記予約チャンネルに最適な指向性を自動的に特定する自動モードに設定されているか否かを判定する自動モード判定手段と、
該自動モード判定手段が前記自動モードであると判定したときに、前記切換信号出力部から前記指向性切換信号を出力することによって前記可変指向性アンテナの指向性を順次変化させて、前記予約チャンネルの放送の受信に最適な指向性を特定する自動型指向性特定手段と、
放送チャンネルと当該放送チャンネルの放送を受信するときの前記可変指向性アンテナの指向性との対応関係を記憶する対応関係記憶手段と、
前記自動モード判定手段が前記自動モードでないと判定したときに、前記対応関係記憶手段の記憶に基づいて前記予約チャンネルに対応する前記可変指向性アンテナの指向性を特定する記憶型指向性特定手段と、
前記予約チャネルに対応する録画開始時刻前に、前記予約チャンネルに切換えるとともに前記可変指向性アンテナの指向性を前記手動型指向性特定手段、前記自動型指向性特定手段、および前記記憶型指向性特定手段のいずれかによって決定された指向性に切換えるための指向性切換信号を前記切換信号出力部から出力させる指向性切換手段と、
前記予約チャンネルに対応する録画開始時刻の予め定めた第１制限時間前までに前記指向性指定信号が入力されないときに、前記選別結果に含まれる複数の指向性選択候補の中から指向性選択候補を絞り込む絞込手段とを備え、
前記選別結果表示信号出力手段は、前記選別結果を示す映像を、前記絞込手段が絞り込んだ指向性選択候補を示す映像に切換えるための表示信号を出力し、
前記指向性決定手段は、前記予約チャンネルによる録画開始時刻の前記第１制限時間よりも短い所定の第２制限時間前までに前記指向性指定信号が入力されないときに、前記指向性選別手段の選別結果の中から自動的に前記予約チャンネルに対応する前記可変指向性アンテナの指向性を決定することを特徴とする、放送受信装置。
【請求項２】
指向性を可変可能な可変指向性アンテナと接続される放送受信装置であって、
放送チャンネルと当該放送チャンネルの放送を受信するときの前記可変指向性アンテナの指向性との対応関係を記憶する対応関係記憶手段と、
前記可変指向性アンテナに対して、指向性の切換えを指令する指向性切換信号を出力する切換信号出力部と、
放送チャンネルのうちの録画が予約されている予約チャンネルに対応する録画開始時刻の所定時間前であるか否かを判別する所定時間判別手段と、
該所定時間判別手段が前記録画開始時刻の所定時間前であると判別したときに、所定のメッセージを画面に表示するためのメッセージ表示信号を出力するメッセージ表示信号出力手段と、
前記メッセージ表示信号の出力後に入力されるユーザが指定した指向性を示す指向性指定信号に基づいて、前記予約チャンネルに対応する前記可変指向性アンテナの指向性を特定する手動型指向性特定手段と、
前記予約チャンネルに対応する録画開始時刻の予め定めた制限時間前までに前記指向性指定信号が入力されないときに、予め記憶された設定データを参照することによって、前記予約チャンネルに最適な指向性を自動的に特定する自動モードに設定されているか否かを判定する自動モード判定手段と、
該自動モード判定手段が前記自動モードであると判定したときに、前記切換信号出力部から前記指向性切換信号を出力することによって前記可変指向性アンテナの指向性を順次変化させて、前記予約チャンネルの放送の受信に最適な指向性を特定する自動型指向性特定手段と、
前記自動モード判定手段が前記自動モードでないと判定したときに、前記対応関係記憶手段の記憶に基づいて前記予約チャンネルに対応する前記可変指向性アンテナの指向性を特定する記憶型指向性特定手段と、
前記予約チャネルに対応する録画開始時刻前に、前記予約チャンネルに切換えるとともに前記可変指向性アンテナの指向性を前記手動型指向性特定手段、前記自動型指向性特定手段、および前記記憶型指向性特定手段のいずれかによって決定された指向性に切換えるための指向性切換信号を前記切換信号出力部から出力させる指向性切換手段とを備えることを特徴とする、放送受信装置。
【請求項３】
前記予約チャンネルの放送を録画する録画装置を接続する録画装置接続部をさらに備え、
前記予約チャンネルおよび録画開始時刻の情報を前記録画装置接続部を介して前記録画装置から入力することを特徴とする、請求項２に記載の放送受信装置。
【請求項４】
前記画面を備える表示装置を接続する表示装置接続部をさらに備え、
前記メッセージ表示信号出力手段は、前記表示装置接続部を介して前記メッセージ表示信号を前記表示装置へ出力することを特徴とする、請求項２または請求項３に記載の放送受信装置。
【請求項５】
前記切換信号出力部から前記指向性切換信号を出力することによって前記可変指向性アンテナの指向性を順次変化させて、前記予約チャンネルの放送の受信に適する指向性を選別する指向性選別手段と、
該指向性選別手段の選別結果を前記画面に表示するための選別結果表示信号を出力する選別結果表示信号出力手段とをさらに備え、
前記手動型指向性特定手段は、前記指向性選別手段の選別結果の中からユーザが指定した指向性を示す指向性指定信号に基づいて、前記予約チャンネルに対応する前記可変指向性アンテナの指向性を特定することを特徴とする、請求項２〜請求項４のいずれかに記載の放送受信装置。
【請求項６】
前記予約チャンネルに対応する録画開始時刻の予め定めた第１制限時間前までに前記指向性指定信号が入力されないときに、前記選別結果に含まれる複数の指向性選択候補の中から指向性選択候補を絞り込む絞込手段をさらに備え、
前記選別結果表示信号出力手段は、前記選別結果を示す映像を、前記絞込手段が絞り込んだ指向性選択候補を示す映像に切換えるための表示信号を出力し、
前記指向性決定手段は、前記予約チャンネルによる録画開始時刻の前記第１制限時間よりも短い所定の第２制限時間前までに前記指向性指定信号が入力されないときに、前記指向性選別手段の選別結果の中から自動的に前記予約チャンネルに対応する前記可変指向性アンテナの指向性を決定することを特徴とする、請求項５に記載の放送受信装置。
【請求項７】
前記選別結果に含まれる各々の指向性で前記予約チャンネルによる放送を受信したときの各映像データを記憶する映像データ記憶手段と、
該映像データ記憶手段が記憶している複数の映像データを一画面にまとめて展開した映像を前記選別結果を示す映像として生成する選別結果映像生成手段とをさらに備え、
該選別結果映像生成手段は、複数の映像データを一画面にまとめて展開するときに、一の映像データの一部を他の映像データの一部と重ね合わせる重ね合わせ機能を備えることを特徴とする、請求項６に記載の放送受信装置。
【発明の詳細な説明】
【技術分野】
【０００１】
この発明は、放送受信装置に関し、特に、可変指向性アンテナと接続されるセットトップボックス（単体で録画機能を備えない）やチューナ内蔵型の録画機、あるいはテレビ（録画機内蔵タイプ、または録画機能を備えないタイプ）などの放送受信装置に関する。
【背景技術】
【０００２】
予め定めた放送チャンネルによる放送を予め定めた予約時刻に録画するための機能を備えた放送受信装置のニーズがこれまでにも増して高まっている。しかしながら、この種の従来の放送受信装置では、複数の放送局が分散して所在するような場合、アンテナの指向性を自在に変更することができない限り、予約した放送チャンネルの放送をうまく受信することができない。
【０００３】
そのため、分散して存在している複数の放送局の各々の電波を、指向性を切換えることによって受信可能なスマートアンテナ等の可変指向性アンテナが注目を集めている。この種の可変指向性アンテナは、たとえば、複数のアンテナ素子で構成され、各アンテナ素子を適当な振幅および位相により励振することで指向性を切換え可能にされている。
【０００４】
特許文献１には、衛星放送受信用のアンテナ駆動装置に関し、放送の録画予約時刻前に、予約チャンネルに対応する衛星の位置データを読出してアンテナポジションを最適位置に変更することが記載されている。
【０００５】
また、特許文献２には、視聴者の要求に応じてアンテナの方向を自動調整することが記載されている。
【特許文献１】特開平６−２７６０１１号公報
【特許文献２】特開２００１−８６０１９号公報
【発明の開示】
【発明が解決しようとする課題】
【０００６】
しかしながら、従来、この種の放送受信装置において、録画予約時刻になる前に、可変指向性アンテナの指向性をユーザの操作に応じて最適化し、かつ、ユーザがその操作をし忘れるか若しくは録画予約時刻までに操作が間に合わないようなときに、指向性の自動調整をする機能を備える装置は存在しなかった。
【０００７】
この発明は、係る実情に鑑みて考え出されたものであり、その目的は、録画予約の実行前に、極力ユーザの要求を優先して可変指向性アンテナの指向性を適正化できる放送受信装置を提供することである。
【課題を解決するための手段】
【０００８】
本発明は、指向性を可変可能な可変指向性アンテナ（３０）と接続される放送受信装置（１）であって、
放送チャンネルのうちの録画が予約されている予約チャンネルに対応する録画開始時刻の所定時間前であるか否かを判別する所定時間判別手段（Ｓ１）と、
該所定時間判別手段が前記録画開始時刻の所定時間前であると判別したときに、所定のメッセージを画面に表示するためのメッセージ表示信号を出力するメッセージ表示信号出力手段（Ｓ４）と、
前記可変指向性アンテナに対して、指向性の切換えを指令する指向性切換信号を出力する切換信号出力部（受信方向切換部２４）と、
該切換信号出力部から前記指向性切換信号を出力することによって前記可変指向性アンテナの指向性を順次変化させて、前記予約チャンネルの放送の受信に適する指向性を選別する指向性選別手段（Ｓ１０１）と、
該指向性選別手段の選別結果に含まれる各々の指向性で前記予約チャンネルによる放送を受信したときの各映像データを記憶する映像データ記憶手段（Ｓ３０４：受信方向選択候補記憶領域）と、
該映像データ記憶手段が記憶している複数の映像データを一画面にまとめて展開した映像を前記選別結果を示す映像として生成する手段であって、複数の映像データを一画面にまとめて展開するときに、一の映像データの一部を他の映像データの一部と重ね合わせる重ね合わせ機能を備える（Ｓ１１０：図９（Ｃ））選別結果映像生成手段（Ｓ１０２：図９（Ｂ）、Ｓ１１０：図９（Ｃ））と、
該選別結果映像生成手段が生成した前記選別結果を示す映像を前記画面に表示するための選別結果表示信号を出力する選別結果表示信号出力手段（Ｓ１０２）と、
前記メッセージ表示信号の出力後に入力される、前記指向性選別手段の選別結果の中からユーザが指定した指向性を示す指向性指定信号（Ｓ１０４）に基づいて、前記予約チャンネルに対応する前記可変指向性アンテナの指向性を特定する手動型指向性特定手段（Ｓ１１３）と、
前記予約チャンネルに対応する録画開始時刻の予め定めた制限時間（手動設定待ち限界時間）前までに前記指向性指定信号が入力されないとき（Ｓ１１１でＹＥＳ）に、予め記憶された設定データ（図８（Ｂ）：設定補助モードのデータ）を参照することによって、前記予約チャンネルに最適な指向性を自動的に特定する自動モード（自動検索モード）に設定されているか否かを判定する自動モード判定手段（Ｓ７）と、
該自動モード判定手段が前記自動モードであると判定したとき（Ｓ７でＹＥＳ）に、前記切換信号出力部から前記指向性切換信号を出力することによって前記可変指向性アンテナの指向性を順次変化させて、前記予約チャンネルの放送の受信に最適な指向性を特定する自動型指向性特定手段（Ｓ２０５、Ｓ２０６）と、
放送チャンネルと当該放送チャンネルの放送を受信するときの前記可変指向性アンテナの指向性との対応関係を記憶する対応関係記憶手段（メモリ１０ｂに構成されるオートスキャン記憶領域）と、
前記自動モード判定手段が前記自動モードでないと判定したときに、前記対応関係記憶手段の記憶に基づいて前記予約チャンネルに対応する前記可変指向性アンテナの指向性を特定する記憶型指向性特定手段（Ｓ９）と、
前記予約チャネルに対応する録画開始時刻前に、前記予約チャンネルに切換えるとともに前記可変指向性アンテナの指向性を前記手動型指向性特定手段、前記自動型指向性特定手段、および前記記憶型指向性特定手段のいずれかによって決定された指向性に切換えるための指向性切換信号を前記切換信号出力部から出力させる指向性切換手段（Ｓ１０）と、
前記予約チャンネルに対応する録画開始時刻の予め定めた第１制限時間（Ｓ１０５：絞込み時間）前までに前記指向性指定信号が入力されないとき（Ｓ１０５でＹＥＳ）に、前記選別結果に含まれる複数の指向性選択候補の中から指向性選択候補を絞り込む絞込手段（Ｓ１０６）とを備え、
前記選別結果表示信号出力手段は、前記選別結果を示す映像を、前記絞込手段が絞り込んだ指向性選択候補を示す映像に切換えるための表示信号を出力（Ｓ１０７）し、
前記指向性決定手段は、前記予約チャンネルによる録画開始時刻の前記第１制限時間よりも短い所定の第２制限時間（Ｓ１０９：手動設定待ち限界時間）前までに前記指向性指定信号が入力されないとき（Ｓ１０９でＹＥＳ）に、前記指向性選別手段の選別結果の中から自動的に前記予約チャンネルに対応する前記可変指向性アンテナの指向性を決定する（Ｓ１１０）ことを特徴とする。
【０００９】
また、本発明は、指向性を可変可能な可変指向性アンテナ（３０）と接続される放送受信装置（１）であって、
放送チャンネルと当該放送チャンネルの放送を受信するときの前記可変指向性アンテナの指向性との対応関係を記憶する対応関係記憶手段（メモリ１０ｂに構成されるオートスキャン記憶領域）と、
前記可変指向性アンテナに対して、指向性の切換えを指令する指向性切換信号を出力する切換信号出力部（受信方向切換部２４）と、
放送チャンネルのうちの録画が予約されている予約チャンネルに対応する録画開始時刻の所定時間前であるか否かを判別する所定時間判別手段（Ｓ１）と、
該所定時間判別手段が前記録画開始時刻の所定時間前であると判別したときに、所定のメッセージを画面に表示するためのメッセージ表示信号を出力するメッセージ表示信号出力手段（Ｓ４）と、
前記メッセージ表示信号の出力後に入力されるユーザが指定した指向性を示す指向性指定信号に基づいて（Ｓ１０４）、前記予約チャンネルに対応する前記可変指向性アンテナの指向性を特定する手動型指向性特定手段（Ｓ１１３）と、
前記予約チャンネルに対応する録画開始時刻の予め定めた制限時間（手動設定待ち限界時間）前までに前記指向性指定信号が入力されないとき（Ｓ１１１でＹＥＳ）に、予め記憶された設定データ（図８（Ｂ）：設定補助モードのデータ）を参照することによって、前記予約チャンネルに最適な指向性を自動的に特定する自動モード（自動検索モード）に設定されているか否かを判定する自動モード判定手段（Ｓ７）と、
該自動モード判定手段が前記自動モードであると判定したとき（Ｓ７でＹＥＳ）に、前記切換信号出力部から前記指向性切換信号を出力することによって前記可変指向性アンテナの指向性を順次変化させて、前記予約チャンネルの放送の受信に最適な指向性を特定する自動型指向性特定手段（Ｓ２０５、Ｓ２０６）と、
前記自動モード判定手段が前記自動モードでないと判定したとき（Ｓ７でＮＯ）に、前記対応関係記憶手段の記憶に基づいて前記予約チャンネルに対応する前記可変指向性アンテナの指向性を特定する記憶型指向性特定手段（Ｓ９）と、
前記予約チャネルに対応する録画開始時刻前に、前記可変指向性アンテナの指向性を前記手動型指向性特定手段、前記自動型指向性特定手段、および前記記憶型指向性特定手段のいずれかによって決定された指向性に切換えるための指向性切換信号を前記切換信号出力部から出力させる指向性切換手段（Ｓ１０）とを備えることを特徴とする。
【００１０】
さらに、本発明は、前記予約チャンネルの放送を録画する録画装置（録画・再生装置７００）を接続する録画装置接続部（図示を省略した録画・再生装置接続用端子）をさらに備え、
前記予約チャンネルおよび録画開始時刻の情報を前記録画装置接続部を介して前記録画装置から入力することを特徴とする。
【００１１】
あるいは、本発明は、前記画面を備える表示装置（モニタ４０）を接続する表示装置接続部（図示を省略した再生信号出力端子）をさらに備え、
前記メッセージ表示信号出力手段は、前記表示装置接続部を介して前記メッセージ表示信号を前記表示装置へ出力することを特徴とする。
【００１２】
さらに、本発明は、前記切換信号出力部から前記指向性切換信号を出力することによって前記可変指向性アンテナの指向性を順次変化させて、前記予約チャンネルの放送の受信に適する指向性を選別する指向性選別手段（Ｓ１０１）と、
該指向性選別手段の選別結果を前記画面に表示するための選別結果表示信号を出力する選別結果表示信号出力手段（Ｓ１０２）とをさらに備え、
前記手動型指向性特定手段は、前記指向性選別手段の選別結果の中からユーザが指定した指向性を示す指向性指定信号（受信方向指定信号）に基づいて（Ｓ１０４）、前記予約チャンネルに対応する前記可変指向性アンテナの指向性を特定する（Ｓ１１３）ことを特徴とする。
【００１３】
さらに、本発明は、前記予約チャンネルに対応する録画開始時刻の予め定めた第１制限時間（Ｓ１０５：絞込み時間）前までに前記指向性指定信号が入力されないとき（Ｓ１０５でＹＥＳ）に、前記選別結果に含まれる複数の指向性選択候補の中から指向性選択候補を絞り込む絞込手段（Ｓ１０６）をさらに備え、
前記選別結果表示信号出力手段は、前記選別結果を示す映像を、前記絞込手段が絞り込んだ指向性選択候補を示す映像に切換えるための表示信号を出力（Ｓ１０７）し、
前記指向性決定手段は、前記予約チャンネルによる録画開始時刻の前記第１制限時間よりも短い所定の第２制限時間（Ｓ１０９：手動設定待ち限界時間）前までに前記指向性指定信号が入力されないとき（Ｓ１０９でＹＥＳ）に、前記指向性選別手段の選別結果の中から自動的に前記予約チャンネルに対応する前記可変指向性アンテナの指向性を決定する（Ｓ１１０）ことを特徴とする。
【００１４】
さらに、本発明は、前記選別結果に含まれる各々の指向性で前記予約チャンネルによる放送を受信したときの各映像データを記憶する映像データ記憶手段（Ｓ３０４：受信方向選択候補記憶領域）と、
該映像データ記憶手段が記憶している複数の映像データを一画面にまとめて展開した映像を前記選別結果を示す映像として生成する選別結果映像生成手段（Ｓ１０２：図９（Ｂ）、Ｓ１１０：図９（Ｃ））とをさらに備え、
該選別結果映像生成手段は、複数の映像データを一画面にまとめて展開するときに、一の映像データの一部を他の映像データの一部と重ね合わせる重ね合わせ機能を備える（Ｓ１１０：図９（Ｃ））ことを特徴とする。
【発明の効果】
【００１５】
本発明によれば、録画予約時刻になる前に、可変指向性アンテナの指向性をユーザの操作に応じて最適化でき、しかも、ユーザがその操作をし忘れるか若しくは録画予約時刻までに操作が間に合わないようなとき場合であっても、指向性が自動調整されるために、録画予約の実行前に、極力ユーザの要求を優先して可変指向性アンテナの指向性を適正化できる。
【発明を実施するための最良の形態】
【００１６】
この発明の実施の形態について、図面を参照しながら詳細に説明する。なお、図中の同一または相当部分については、同一符号を付してその説明は繰り返さない。
【００１７】
［第１実施形態］
図１は、この発明の第１実施形態に従う放送受信装置１の概略構成図である。
【００１８】
図１を参照して、この発明の第１実施形態に従う放送受信装置１は、チューナ１６および録画部７０を備えるチューナ内蔵型のレコーダである。放送受信装置１は、可変指向性アンテナ３０を接続するアンテナ接続端子と、受信放送の映像信号および音声信号をモニタ４０へ出力するための放送出力端子と、録画再生したときの映像信号および音声信号をモニタ４０へ出力するための再生信号出力端子とを備えている（各端子の図示を省略）。
【００１９】
放送受信装置１は、可変指向性アンテナ３０から放送信号を受信し、モニタ４０に対して映像信号および音声信号を出力し、また、記録媒体７１に受信放送を録画する。さらに、放送受信装置１は、リモコン４２から送信される無線信号を受信するためのリモコン受信部２６を備える。
【００２０】
可変指向性アンテナ３０は、図１に示すように、複数、たとえば４本のアンテナ素子３０ａ〜３０ｄを水平面内に、所定の角度（たとえば９０度）間隔に有している。可変指向性アンテナ３０は、放送受信装置１から受信方向切換信号を受けて、各アンテナ素子に対する励振を変化させて指向性を切換える。可変指向性アンテナ３０は、受信方向切換信号を受けることにより、たとえば、８方向に指向性を可変可能である。以下では、８方向に可変可能な可変指向性アンテナ３０の各指向性を「受信方向１」〜「受信方向８」と称して説明する。
【００２１】
放送受信装置１は、制御部１０と、チューナ１６と、デジタル復調器１８と、アナログ復調器２０と、ＯＳＤ（On Screen Display）回路２１と、ＭＰＥＧデコーダ２２と、映像合成部２３と、受信方向切換部２４と、リモコン受信部２６と、録画部７０とを備える。
【００２２】
制御部１０は、プログラムを実行するＣＰＵ（Central Processing Unit）１０ａと、
実行されるプログラム、プログラム実行中のデータ、およびプログラム実行結果のデータを記憶するメモリ（ＲＡＭおよびＲＯＭ）１０ｂとからなる。
【００２３】
チューナ１６は、受信した放送信号の中から、制御部１０からの指令に応じて選択されたチャンネルに対応する放送信号を抽出する。そして、抽出された放送信号がデジタルテレビ放送信号である場合は、チューナ１６は、デジタル復調器１８に放送信号を出力する。一方、抽出された放送信号がアナログテレビ放送信号である場合は、チューナ１６は、アナログ復調器２０へ放送信号を出力する。
【００２４】
デジタル復調器１８は、チューナ１６から放送信号を受けて、映像および音声の信号であるＭＰＥＧ（Moving Picture Experts Group）信号に復調し、そのＭＰＥＧ信号をＭＰＥＧデコーダ２２へ出力する。
【００２５】
ここで、デジタルテレビ放送信号は、リード・ソロモン符号および畳み込み符号で符号化されて送信される。そのため、デジタル復調器１８は、上述の復号処理において誤り訂正ができる。この誤り訂正の処理過程において、デジタル復調器１８は、受信した放送信号の受信データ誤り率を演算し、その受信データ誤り率を制御部１０へ出力する。このとき、デジタル復調器１８は、受信した放送信号に含まれる所定のデータ数毎に誤り訂正を行なうので、受信開始から１フレーム（１／３０秒）以内で受信データ誤り率の演算ができる。
【００２６】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信される
ため、誤り訂正が可能であり、その処理過程において受信データ誤り率が演算できる。したがって、この発明の第１実施形態におけるデジタル復調器１８は、上述のいずれの方式を用いてもよい。
【００２７】
アナログ復調器２０は、チューナ１６から放送信号を受けて、映像信号および音声信号へ復調する。そして、アナログ復調器２０は、復調された音声信号を外部へ出力する。また、アナログ復調器２０は、復調された映像信号を映像合成部２３へ出力する。さらに、アナログ復調器２０は、水平同期信号の捕捉の可否を制御部１０へ出力する。
【００２８】
ここで、アナログテレビ放送信号には、走査線の水平走査および垂直走査を制御するために、水平同期信号および垂直同期信号が含まれている。アナログ復調器２０は、映像信号の復調を行なうために、上述の水平同期信号および垂直同期信号を捕捉する必要がある。
【００２９】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００３０】
水平同期信号を捕捉するにあたり、アナログ復調器２０は、受信した放送信号に対して、雑音除去処理、周波数分離処理、同期信号分離処理および整形増幅処理等を行なう。それゆえ、受信開始から水平同期信号の捕捉までには、上述のデジタル復調器１８における受信データ誤り率の演算に比較して、多くの時間を要する。
【００３１】
なお、アナログテレビ放送は、日本や米国等のＮＴＳＣ（National System Committee
）方式の他に、ドイツやイギリス等のＰＡＬ（Phase Alternation by Line）方式および
フランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００３２】
したがって、この発明の第１実施形態におけるアナログ復調器２０は、上述のいずれの方式を用いてもよい。
【００３３】
ＯＳＤ回路２１は、制御部１０からの指令に応じて、モニタ４０の画面上に情報を表示するためのＯＳＤ信号を生成して、映像合成部２３へ出力する。この実施の形態においては、ＯＳＤ回路２１は、ハードウェア回路で実現されることとする。しかし、これに限定されず、制御部１０によりソフトウェアが実行されることによって、ＯＳＤ回路２１の機能が実現されるようにしてもよい。
【００３４】
ＭＰＥＧデコーダ２２は、デジタル復調器１８から受けた信号を映像信号および音声信号に復号する。そして、ＭＰＥＧデコーダ２２は、復号された音声信号を外部へ出力する。また、ＭＰＥＧデコーダ２２は、復号された映像信号を映像合成部２３へ出力する。
【００３５】
映像合成部２３は、アナログ復調器またはＭＰＥＧデコーダから受けた映像信号で示される映像に、ＯＳＤ回路２１から受けたＯＳＤ信号で示される映像を重畳させる。そして、映像合成部２３は、重畳された映像を示す映像信号を外部へ出力する。
【００３６】
受信方向切換部２４は、制御部１０からの指令に応じて、受信方向切換信号を可変指向性アンテナ３０へ出力する。
【００３７】
リモコン受信部２６は、リモコン４２からの指令を受信して制御部１０へ出力する。ユーザは、所望の動作を行なわせるためリモコン４２を用いて指令を送信する。
【００３８】
次に、本実施の形態に係る発明の特徴である予約録画処理を説明する。図２は、予約録画処理を説明するためのフローチャートである。また、図３〜図７は、予約録画処理の中で実行されるサブルーチンである。
【００３９】
録画予約処理の概要は次のとおりである。すなわち、録画予約時刻になる前に可変指向性アンテナ３０の指向性が予約チャンネルに適するものに切換えられる。この場合、「手動設定」が予めユーザの選択操作によって「ＯＮ」に設定されているときには、予約チャンネルの受信に適するアンテナの受信方向の候補が装置側で自動的に選別される。ユーザが選別結果の中から選択すればその選択した受信方向に可変指向性アンテナ３０の指向性が変更される。
【００４０】
これにより、ユーザの要求に応じてアンテナの指向性を変更することができる。しかも、選択可能なすべての指向性の中からユーザに選択させるのではなく、あまりに受信に適さない指向性を除いた、予約チャンネルに適する指向性の候補を予め装置側で選別し、その中からユーザに選択させる構成であるため、ユーザの選択負担を軽減できる。この点は、録画時間が目前に迫っている状況においてユーザが選択する際に便利な機能である。
【００４１】
もし、一定時間が経過してもユーザの操作が検出されないか、若しくはユーザの選択操作が録画時間に間に合いそうになければ、自動的に予約チャンネルに対応する可変指向性アンテナ３０の指向性が決定される。この場合、設定補助モードが「自動検索モード」であるか「記憶参照モード」であるかによって、決定の態様が異なるが、この点は後で詳述する。
【００４２】
これにより、ユーザが外出中などで指向性を選択することができない場合、あるいはユーザの選択操作に時間がかかり録画時間に間に合いそうにない場合でも、可変指向性アンテナ３０の指向性を適切なものに変更できる。
【００４３】
一方、「手動設定」が「ＯＦＦ」に設定されているときには、本装置で以前に「オートスキャン機能（チャンネル自動検出機能）」を起動したときに予約チャンネルに対応する放送チャンネルに割り当てられた受信方向が、今回の録画の際の受信方向として決定される。なお、「オートスキャン機能」とは、自動的に受信可能な各放送チャンネルを検出するとともに各放送チャンネルに適する可変指向性アンテナ３０の受信方向を設定する機能である。
【００４４】
なお、以下では、デジタル放送を対象とした予約録画処理を説明するが、アナログ放送を対象とした場合にも同様に録画予約処理を適用可能である。この場合には水平同期信号の捕捉の可否により各受信方向に対応するアナログ放送の受信状態を判断できる。
【００４５】
図２を参照して、最初に、録画予約時刻の所定時間（たとえば５分）前であるか否かが判断される（Ｓ１）。録画予約時刻の所定時間前でないときには処理が終了する。録画予約時刻の所定時間前であると判断されたときには、手動設定データが参照され（Ｓ２）、手動設定がＯＮであるか否かが判断される（Ｓ３）。手動設定データは、メニュー画面から設定するユーザの操作に応じてＯＮまたはＯＦＦに設定されるデータである。
【００４６】
手動設定データがＯＮに設定されているときには、予め装置が選別した受信候補の中からユーザがアンテナの受信方向を選択することが可能となる。一方、手動設定データがＯＦＦに設定されているときには、自動的にアンテナの受信方向が選択される。
【００４７】
Ｓ３において、手動設定がＯＦＦであると判断されたときには、オートスキャン記憶領域が参照されて、予約チャンネルに対応して記憶されている受信方向が決定される（Ｓ９）。オートスキャン記憶領域は、オートスキャン機能によって検出された放送チャンネルおよびその受信方向を記憶する領域である。オートスキャン記憶領域は、メモリ１０ｂに設けられている。
【００４８】
一方、Ｓ３において、手動設定がＯＮに設定されていると判断されたときには、手動設定用のメッセージをモニタ４０に表示するための表示信号が出力される（Ｓ４）。
【００４９】
次に、手動設定処理が実行されて（Ｓ５）、装置が選別した受信候補の中からユーザが受信方向を選択可能となる。手動設定処理の詳細については、図３を用いて後述する。
【００５０】
次に、制限時間経過フラグがＯＮしているか否かが判断される（Ｓ６）。制限時間経過フラグは、手動設定処理（Ｓ５）が開始された後に、予め定められた制限時間が経過しても、なおユーザの選択操作が検出されない場合に設定されるフラグである。制限時間経過フラグがＯＮに設定されていないときには、すなわち、Ｓ５の手動設定処理において予約チャンネルに対応するアンテナの受信方向が選択されていることを意味する。したがって、制限時間経過フラグがＯＮでないときには、Ｓ５の手動設定処理において決定された受信方向に対応する受信方向切換信号が可変指向性アンテナ３０へ出力される（Ｓ１０）。これにより、可変指向性アンテナ３０の受信方向が変更される。
【００５１】
一方、Ｓ６において制限経過フラグがＯＮに設定されていると判断されたときには、設定補助モードが自動検索モードであるか否かが判断される（Ｓ７）。設定補助モードに関するデータは、メモリ１０ｂに記憶されている。
【００５２】
設定補助モードが自動検索モードでないと判断されたときには、オートスキャン記憶領域が参照されてアンテナの受信方向が自動的に決定される（Ｓ９）。一方、設定補助モードが自動検索モードであると判断されたときには、自動検索処理が実行される（Ｓ８）。自動検索処理の詳細については、図５を用いて後述する。
【００５３】
Ｓ８またはＳ９においてアンテナの受信方向が決定された後、その決定された受信方向に対応する受信方向切換信号が可変指向性アンテナ３０へ出力される（Ｓ１０）。その後、録画予約時刻になったと判断されたことを条件として（Ｓ１１）、予約チャンネルの放送を録画する処理が開始される（Ｓ１２）。
【００５４】
図３は、手動設定処理を説明するためのフローチャートである。手動設定処理は、図２のＳ５において実行されるサブルーチンである。手動設定処理においては、最初に受信方向選択候補選別処理が実行される（Ｓ１０１）。受信方向選択候補選別処理は、ユーザが選択する受信方向の候補を自動的に選別する処理である。受信方向選択候補選別処理の詳細については、図４を用いて後述する。
【００５５】
次に、Ｓ１０１において選別された受信方向選択候補をモニタ４０に表示するための表示信号が出力される（Ｓ１０２）。
【００５６】
次に、リモコン４２からの何らかの操作信号が検出されたか否かが判断される（Ｓ１０３）。操作信号が検出されない場合には、予め定めた手動設定待ち限界時間（たとえば、録画予約時刻２分前）となったか否かが判断される（Ｓ１１１）。
【００５７】
手動設定待ち限界時間になっていないと判断されたときには、再び、Ｓ１０３において操作信号が検出されたか否かが判断される。そして、手動設定待ち限界時間が経過してもなお操作信号が検出されない場合には、Ｓ１１１でＹＥＳと判断されて制限時間経過フラグがＯＮに設定される（Ｓ１１２）。この場合には、手動設定処理が終了されるために、図２のＳ６に進んで制限時間経過フラグがＯＮであると判断されることになる。
【００５８】
一方、手動設定待ち限界時間となる前にＳ１０３において操作信号が検出された場合には、受信方向指定信号が入力されたか否かが判断される（Ｓ１０４）。この受信方向指定信号は、Ｓ１０２において表示された受信方向選択候補の中からユーザが指定した受信方向を示す信号である。
【００５９】
Ｓ１０４において、受信方向指定信号が入力されたと判断されたときには、その受信方向指定信号に応じてアンテナの受信方向が決定される（Ｓ１１３）。Ｓ１０４において受信方向指定信号の入力がないと判断されたときには、予め定めた絞り込み時間（たとえば、録画予約時刻の３分前）になったか否かが判断される（Ｓ１０５）。
【００６０】
予め定めた絞り込み時間が経過してもなお、受信方向指定信号が入力されないときには、受信方向選択候補を絞り込む処理が実行される（Ｓ１０６）。この処理は、たとえば、Ｓ１０１において選別された受信方向選択候補のうち、データ誤り率が低い順に２つの受信方向を選別する処理である。
【００６１】
次に、絞り込んだ受信方向選択候補をモニタ４０において重ね表示するための表示信号が出力される（Ｓ１０７）。これにより、たとえば、３以上、表示されていた受信選択候補の数が２つに絞り込まれる。その結果、ユーザの選択負担が軽減される。なお、重ね表示の詳細については、図９を用いて後述する。
【００６２】
次に、受信方向指定信号の入力待ちとなり（Ｓ１０８）、手動設定待ち限界時間となる前（Ｓ１０９）に受信方向指定信号が入力されたときには、その受信方向指定信号に応じて受信方向が決定される（Ｓ１１３）。一方、手動設定待ち限界時間が経過してもなお受信方向指定信号が入力されないと判断されたときには（Ｓ１０９でＹＥＳ）、Ｓ１０６において絞り込まれた受信方向選択候補の中から受信方向が決定される（Ｓ１１０）。この場合、たとえば、すでに絞り込まれた２つに絞り込まれた２つの受信方向のうち、よりデータ誤り率が低い方に決定される。
【００６３】
次に、受信方向が決定された旨をモニタ４０に表示するための表示信号が出力され（Ｓ１１４）、処理が終了する。
【００６４】
図４は、受信方向選択候補選別処理を説明するためのフローチャートである。この受信方向選択候補選別処理は、図３の手動設定処理のＳ１０１において実行されるサブルーチンである。
【００６５】
最初に、放送チャンネルが予約チャンネルへ切換えられる（Ｓ３００）。次に、受信方向を定めるためのカウンタｓに１が代入される（Ｓ３０１）。次に、可変指向性アンテナ３０の受信方向を受信方向ｓに切換えるための受信方向切換信号が出力される（Ｓ３０２）。
【００６６】
次に、受信方向切換後の可変指向性アンテナ３０からデータを受信し、予約チャンネルに関する受信方向ｓのデータ誤り率が規定値以下であるか否かが判断される（Ｓ３０３）。
【００６７】
受信方向ｓのデータ誤り率が規定値以下でないときには、Ｓ３０５に進む。一方、受信方向ｓのデータ誤り率が規定値以下であると判断されたときには、その受信方向ｓ、データ誤り率、およびその時に受信された映像の一部が手動設定用候補記憶領域に記憶される（Ｓ３０４）。手動設定用候補記憶領域は、メモリ１０ｂの一部に割当てられている。
【００６８】
次に、カウンタｓが更新（＋１）される（Ｓ３０５）。次に、更新後のカウンタｓの値が最大値ｍａｘを超過しているか否かが判断される（Ｓ３０６）。本実施の形態では、可変可能な受信方向がたとえば１〜８であるために、最大値ｍａｘは「８」である。
【００６９】
Ｓ３０６において、カウンタｓの値がｍａｘを超過していないと判断されたときには、可変指向性アンテナ３０の受信方向を更新後の受信方向ｓに切換えるための受信方向切換信号が出力され（Ｓ３０２）、以下、Ｓ３０３〜Ｓ３０６の処理が繰り返される。これにより、データ誤り率が規定値以下と判断された受信方向別に、予約チャンネルで放送を受信したときのデータ誤り率および受信映像の一部が手動設定用候補記憶領域に記憶される。
【００７０】
やがて、Ｓ３０６においてカウンタｓの値がｍａｘを超過すると判断されたときには、処理が終了する。
【００７１】
図５は、自動検索処理を説明するためのフローチャートである。この自動検索処理は、図２の予約録画処理中、Ｓ８において実行されるサブルーチンである。
【００７２】
最初に、放送チャンネルが予約チャンネルへ切換えられる（Ｓ２０１）。次に、自動検索モードである旨をモニタ４０に表示するための表示信号が出力される（Ｓ２０２）。なお、この表示は、自動検索処理がすべて終了するまでの間、継続してモニタ４０のＯＳＤ領域に表示されるものである。
【００７３】
次に、受信方向を定めるためのカウンタｎに１が代入される（Ｓ２０３）。次に、可変指向性アンテナ３０の受信方向を受信方向ｎに切換えるための受信方向切換信号が出力される（Ｓ２０４）。
【００７４】
次に、受信方向切換後の可変指向性アンテナ３０からデータを受信し、予約チャンネルに関する受信方向ｎのデータ誤り率が規定値以下であるか否かが判断される（Ｓ２０５）。受信方向ｎのデータ誤り率が規定値以下でないときには、Ｓ２０７に進む。一方、受信方向ｎのデータ誤り率が規定値以下であると判断されたときには、その受信方向ｎ、データ誤り率、およびその時に受信された映像の一部が自動検索用候補記憶領域に記憶される（Ｓ２０６）。自動検索用候補記憶領域は、メモリ１０ｂの一部に割当てられている。
【００７５】
次に、カウンタｎが更新（＋１）される（Ｓ２０７）。次に、更新後のカウンタｎの値が最大値ｍａｘを超過しているか否かが判断される（Ｓ２０８）。本実施の形態では、可変可能な受信方向がたとえば１〜８であるために、最大値ｍａｘは「８」である。
【００７６】
Ｓ２０８において、カウンタｎの値がｍａｘを超過していないと判断されたときには、可変指向性アンテナ３０の受信方向を更新後の受信方向ｎに切換えるための受信方向切換信号が出力され（Ｓ２０４）、以下、Ｓ２０５〜Ｓ２０８の処理が繰り返される。これにより、データ誤り率が規定値以下と判断された受信方向別に、予約チャンネルで放送を受信したときのデータ誤り率および受信映像の一部が自動検索用記憶領域に記憶される。
【００７７】
やがて、Ｓ２０８においてカウンタｎの値がｍａｘを超過すると判断されたときには、現在の自動検索モードが第１モードであるか第２モードであるかが判断される（Ｓ２０９）。そして、その判別結果に応じて、第１モード処理（Ｓ２１０）、または第２モード処理（Ｓ２１１）が実行される。その後に処理が終了する。なお、第１モード処理については図６を用いて、第２モード処理については、図７を用いて、各々説明する。
【００７８】
図６は、第１モード処理を説明するためのフローチャートである。この第１モード処理は、図５のＳ２１０において実行されるサブルーチンである。最初に、自動検索用候補記憶領域が参照され、記憶されている受信方向のうち、最もデータ誤り率が低い受信方向が特定される（Ｓ４０１）。次に、Ｓ４０１において特定された受信方向をモニタ４０に表示するための表示信号が出力される（Ｓ４０２）。
【００７９】
これにより、モニタ４０には、特定された受信方向に対応して自動検索用候補記憶領域に記載された一部の映像が表示されるとともに、その受信方向番号が表示される。ユーザは、その映像を見ることによって、その受信方向で予約チャンネルによる放送を録画することに承諾するか否かを判断する。
【００８０】
次に承諾信号が入力されたか否かが判断される（Ｓ４０３）。承諾信号は、モニタ４０に表示された受信方向に対するユーザの承諾を示す信号であり、たとえば、リモコン４２の操作に応じて本機に入力される。
【００８１】
Ｓ４０３において承諾信号が入力されていないと判断された場合には、拒否信号が入力されたか否かが判断される（Ｓ４０５）。拒否信号は、モニタ４０に表示された受信方向に対するユーザの拒否を示す信号であり、たとえば、リモコン４２の操作に応じて本機に入力される。
【００８２】
承諾信号および拒否信号のいずれも入力されていないと判断されたときには、再びＳ４０３に戻る。そして、承諾信号かまたは拒否信号が入力されるまでＳ４０３およびＳ４０５の処理が繰り返される。
【００８３】
Ｓ４０５において拒否信号が入力されたと判断された場合には、自動検索用候補記憶領域中のすべての受信方向の候補に対して拒否信号が入力されたか否かが判断される（Ｓ４０６）。自動検索用候補記憶領域中に、ユーザが確認していない受信方向が存在する場合には、Ｓ４０６でＮＯと判断され、自動検索用候補記憶領域中の次の受信方向を記憶している映像ととともにモニタ４０に表示するための表示信号が出力される（Ｓ４０９）。
【００８４】
そして、再び、承諾信号が入力されたか否かが判断される（Ｓ４０３）。自動検索用候補記憶領域中のいずれかの受信方向に対応して承諾信号が入力されたと判断された場合（Ｓ４０３でＹＥＳ）には、承諾信号が入力されたときの受信方向で予約チャンネルの放送を録画することが決定される（Ｓ４０４）。
【００８５】
この場合には、受信方向を決定した旨をモニタ４０に表示するための表示信号が出力され（Ｓ４１０）、処理が終了する。
【００８６】
一方、自動検索用候補記憶領域中のすべての受信方向候補に対して拒否信号が入力されたとき（Ｓ４０６でＹＥＳ）には、オートスキャン記憶領域が参照されて、予約チャンネルに対応してオートスキャン記憶領域中に記憶されている受信方向で予約チャンネルの放送を録画することが決定される（Ｓ４０７）。この場合には、第１モードから第２モードに切換えられる（Ｓ４０８）。したがって、次回、図５のＳ２０９に進んだときには、第２モード処理が実行されることになる。
【００８７】
その後、受信方向を決定した旨をモニタ４０に表示するための表示信号が出力され（Ｓ４１０）、処理が終了する。
【００８８】
図７は、第２モード処理を説明するためのフローチャートである。この第２モード処理は、図５のＳ２１１で実行されるサブルーチンである。第２モード処理においては、最初に、自動検索用候補記憶領域中の最もデータ誤り率が低い受信方向Ａが特定される（Ｓ５０１）。
【００８９】
次に、オートスキャン記憶領域が参照されて、予約チャンネルに対応して記憶されている受信方向Ｍが特定される（Ｓ５０２）。続いて、受信方向Ｍに対応する受信方向切換信号が可変指向性アンテナ３０に対して出力される（Ｓ５０３）。これにより、可変指向性アンテナ３０の受信方向がＭに変更される。
【００９０】
次に、受信方向Ｍによる予約チャンネルのデータ誤り率が算出される（Ｓ５０４）。その後、Ｓ５０１において特定された受信方向Ａのデータ誤り率と、Ｓ５０４において算出された受信方向Ｍのデータ誤り率とが比較される（Ｓ５０５）。なお、受信方向Ａのデータ誤り率は、図５のＳ２０６の処理によって、受信方向Ａに対応して自動検索用候補記憶領域に記憶されている。
【００９１】
次に、受信方向Ａのデータ誤り率の方が受信方向Ｍのデータ誤り率よりも低いか否かが判断される（Ｓ５０６）。Ｓ５０６でＮＯ、すなわち、受信方向Ａよりも受信方向Ｍの方がデータ誤り率が低いと判断されたときには、受信方向がＭに決定される（Ｓ５１２）。
【００９２】
一方、受信方向Ａの方がデータ誤り率が低いと判断されたとき（Ｓ５０６においてＹＥＳ）には、受信方向Ａをモニタ３０に表示するための表示信号が出力される（Ｓ５０７）。
【００９３】
これにより、モニタ４０には、受信方向Ａに対応して自動検索用候補記憶領域に記載された一部の映像が表示されるとともに、その受信方向Ａが表示される。ユーザは、その映像を見ることによって、受信方向Ａで予約チャンネルによる放送を録画することに承諾するか否かを判断する。
【００９４】
次に、承諾信号または拒否信号が入力されるまで、処理が待機状態とされる（Ｓ５０８、Ｓ５１１）。拒否信号が入力されたと判断された場合（Ｓ５１１でＹＥＳ）には、受信方向がＭ、すなわち、オートスキャン記憶領域中の予約チャンネルに対応する受信方向で予約チャンネルの放送を録画することが決定される（Ｓ５１２）。
【００９５】
一方、承諾信号が入力されたと判断されたときには（Ｓ５０８でＹＥＳ）、自動検索用候補記憶領域中の受信方向Ａで予約チャンネルの放送を録画することが決定される（Ｓ５０９）。その後に、第２モードから第１モードに切換えられる（Ｓ５１０）。したがって、次回、図５のＳ２０９に進んだときには、第１モード処理が実行されることになる。
【００９６】
最後に、受信方向を決定した旨をモニタ４０に表示するための表示信号が出力され（Ｓ５１３）、処理が終了する。
【００９７】
図８は、ユーザ設定処理および設定データを説明するための図である。本機では、モニタ画面上にメインメニューを呼出すことにより、「手動設定データ」、「設定補助モード」、「自動検索モード」、その他の設定事項についてユーザが設定可能とされている。図８（Ａ）には、ユーザ設定処理のフローチャートが示されている。一方、図８（Ｂ）には、ユーザ設定事項の代表例およびその設定データの内容について示されている。
【００９８】
最初に、図８（Ｂ）を参照して、設定データについて説明する。「手動設定データ」を「ＯＮ」に設定することによって、ユーザが可変指向性アンテナ３０の受信方向を予め選出された受信候補の中から選択可能とされる。一方、これを「ＯＦＦ」に設定することにより、自動的にオートスキャン記憶領域から予約チャンネルに対応する受信方向が自動的に選択される。
【００９９】
「設定補助モード」を「自動検索モード」に設定することにより、手動設定モード（手動設定データＯＮ）に移行してから制限時間が経過してもなおユーザの選択操作が検出されないときに、受信方向を選択するための補助的な制御がなされる。一方、「記憶参照モード」に設定することにより、制限時間が経過してもなおユーザの選択操作が検出されないときに、自動的にオートスキャン記憶領域から予約チャンネルに対応する受信方向が選択される。
【０１００】
「自動検索モード」を「第１モード」に設定することにより予約チャンネルに対応する最適な受信方向が自動的に検索され、承諾信号を受けたことを条件として、その受信方向が選択される。一方、「第２モード」に設定することにより、最適な受信方向が自動検索され、オートスキャン記憶領域中の受信方向との間で品質（エラー誤り率）が自動的に判定される。そして、自動検索した受信方向の方が受信状況が良好であるときには承諾信号を受けたことを条件としてその受信方向が選択される。一方、オートスキャン記憶領域中の受信方向の受信状況の方が良好であるときには、自動的にオートスキャン記憶領域から受信方向が選択される。
【０１０１】
次に、図８（Ａ）を参照して、ユーザ設定処理を説明する。まず、メニュー画面を呼出す操作が検出されたか否かが判断される（Ｓ２１）。メニュー画面を呼出す操作が検出されないときには処理が終了する。一方、メニュー画面を呼出す操作が検出されたときには、モニタ４０にメインメニューを表示するための表示信号が出力される（Ｓ２２）。
【０１０２】
次に、設定メニューの呼出操作が検出されたか否かが判断される（Ｓ２３）。設定メニューの呼出操作が検出されない場合には処理が終了するが、設定メニューの呼出操作が検出されたときには、モニタ４０に設定メニュー画面を表示するための表示信号が出力される（Ｓ２４）。次に、設定種別に対応するユーザの操作に応じて、手動設定データ処理（Ｓ２６）、設定補助モード処理（Ｓ２７）、自動検索モード処理（Ｓ２８）、その他の処理（Ｓ２９）のいずれかの処理が実行され、処理は終了する。Ｓ２６〜Ｓ２９の各処理においては、ユーザの操作に応じて、各種設定データや設定モードが切換えられる。
【０１０３】
図９（Ａ）は、図２のＳ４において表示される画面例である。録画予約時刻の所定時間前になったきたときには、モニタ４０の画面４００が図９（Ａ）に示すように切り替わり、画面右下のＯＳＤ領域４０１に「手動設定を実行します」というメッセージが表示される。これにより、手動設定の制御が開示されることがユーザに報知される。また、「録画ｔ分前」というメッセージ表示も行なわれることにより、録画開始までの時間がユーザに報知される。
【０１０４】
図９（Ｂ）は、図３のＳ１０２において表示される画面例である。たとえば、図９（Ｂ）には、受信方向選択候補選別処理（Ｓ１０１）により選別された５つの受信方向選択候補４０２〜４０６が表示されている。各受信方向選択候補４０２〜４０６は、各々選別された受信方向で予約チャンネルの放送を受信したときの映像であり、各々は、手動設定用候補記憶領域に記憶されている。各受信方向選択候補４０２〜４０６の映像エリア右下には、受信方向が示されている。たとえば、受信方向選択候補４０２の受信方向は［１］である。したがって、図９（Ｂ）は、可変指向性アンテナ３０で可変可能な［１］〜［８］の受信方向のうち、［１］、［２］、［３］、［７］、および［８］が予約チャンネルの受信に適すると判断された例である。
【０１０５】
さらに、図９（Ｂ）に示されるように、ＯＳＤ領域４０１には、録画時間までの残り時間ｔに加えて、ユーザに受信方向の選択を促すメッセージが表示される。ユーザが、たとえば、リモコン４２を操作して受信方向選択候補を選択すれば、その候補に対応する映像エリア枠が強調表示される。図９（Ｂ）は、受信方向選択候補４０２が選択されている例である。その後、ユーザが決定操作をすれば、それに応じて受信方向が決定されることになる。
【０１０６】
図９（Ｃ）は、図３のＳ１０７において表示される画面例である。この画面は、図３のＳ１０６において、装置側で自動的に絞り込んだ受信方向選択候補を表示したものである。ＯＳＤ領域４０１には、録画時間までの残り時間ｔに加えて、自動的に受信方向選択候補を絞り込んだ旨のメッセージが表示される。
【０１０７】
特に、図９（Ｃ）は、図９（Ｂ）の受信方向選択候補のうち、受信方向選択候補４０２、４０６に絞り込まれた場合を示す。特筆すべき点は、両受信方向選択候補の映像エリアが絞込み前の図９（Ｂ）のものに比較して拡大されている点、および両映像エリアの一部が互いに重なりあって表示されている点である。
【０１０８】
このように、画面４００のスペースを有効に利用して受信方向選択候補を表示しているので、絞り込まれた受信方向選択候補の画質を細やかにユーザが判断できる。また、映像エリアが重複する部分に注目することにより、両受信方向選択候補の画質の優劣を判断しやすいという効果も奏される。
【０１０９】
[第２実施形態]
次に、第２実施形態を説明する。第２実施形態は、第１実施形態の図９(Ｂ)に示される画面表示に換えて、図１０に示される画面表示をするものである。その他の点は、第１実施形態と同じである。
【０１１０】
図１０を参照して、第２実施形態では、装置側で選別した受信方向をＯＳＤ領域４０１に表示する。ＯＳＤ領域４０１以外の部分には、現在、視聴中の番組映像が表示されている。一方、ＯＳＤ領域４０１には、矢印を中心にして受信方向１〜８が表示されている。各受信方向に対応する丸印は、その受信方向が装置側で選別されたものであるか否かを示す。なお、選別は、図３の受信方向選択候補選別処理により実行される。たとえば、図１０では、白丸が装置側で選別された受信方向選択候補である。
【０１１１】
ユーザは、ＯＳＤ領域４０１を参照して、白丸で示される受信方向選択候補の中から受信方向を選択して、選択結果をリモコン４２などから入力する。
【０１１２】
[第３実施形態]
次に、図１１を参照して、第３実施形態を説明する。第３実施形態に係る放送受信装置１００は、第１実施形態として説明した放送受信装置１から録画機能を省いたものである。
【０１１３】
放送受信装置１００は、放送を録画および再生するための録画・再生装置７００を接続する録画・再生装置接続用端子が設けられており（図示省略）、その端子によって、録画・再生装置７００と接続される。放送受信装置１００から録画・再生装置７００へは映像信号および音声信号が出力される。
【０１１４】
一方、録画・再生装置７００から放送受信装置１００には、録画予約時間、録画予約チャンネルなどの録画・再生装置７００のユーザ操作に関する信号等が入力される。放送受信装置１００は、録画・再生装置７００から録画予約時間および予約チャンネルの情報を受けて、第１実施形態として説明した図２に示される予約録画処理Ｓ１〜Ｓ１０を実行し、モニタ４０に図９（あるいは図１０）に示す画面を表示させる。したがって、録画・再生装置７００が予約チャンネルに対応する放送の録画を開始するときには、可変指向性アンテナ３０の受信方向が適正化されることになる。
【０１１５】
また、放送受信装置１００は、第１実施形態に係る放送受信装置１と同様に図８に示されるユーザ設定処理を実行し、各種設定を行なうものである。
【０１１６】
[第４実施形態]
次に、第４実施形態を説明する。第４実施形態は、第１実施形態に係る第１モード処理（図６参照）を変形したものであり、その他の点においては、第１実施形態に係る放送受信装置１と変わりがない。
【０１１７】
図１２に、第４実施形態に係る第１モード処理２のフローチャートを示した。この第１モード処理２が、第１実施形態に係る第１モード処理と異なる点は、第１モード処理のＳ４０７とＳ４０８との間に、Ｓ４１１〜Ｓ４１３のステップが追加され、さらに、Ｓ４０４とＳ４１０との間に、Ｓ４１４のステップが追加されている点のみである。
【０１１８】
第１実施形態では、装置側でユーザに提示したいずれの受信方向の候補もユーザによって採用されずにオートスキャン記憶領域から受信方向が決定されたときに、第１モードから第２モードへ切換わる。しかしながら、この第４実施形態では、そのような決定が３回連続して発生したときに、初めて、第１モードから第２モードへ切換わる。
【０１１９】
具体的には、図１２を参照して、Ｓ４０７でオートスキャン記憶領域が参照されて受信方向が決定された後に、モード切換カウンタが＋１され（Ｓ４１１）、続いて、モード切換カウンタの値が３であるか否かが判断される（Ｓ４１２）。モード切換カウンタの値が未だ３に達していないときには、モードが切換わることなく、処理が既に説明したＳ４１０に移行する。
【０１２０】
また、一旦、モード切換カウンタの値が０から１または２に更新された場合であっても、Ｓ４０３で承諾信号が入力された結果、Ｓ４０４で受信方向が決定されたときには、そのモード切換カウンタの値が０にリセットされる（Ｓ４１４）。
【０１２１】
一方、Ｓ４０７の決定が３回、連続して行なわれることによってモード切換カウンタの値が３に達したときに（Ｓ４１２でＹＥＳ）、モード切換カウンタの値が０にリセットされた上で（Ｓ４１３）、第１モードから第２モードに切換えられる（Ｓ４０８）。
【０１２２】
このように、第４実施形態では、あまりに頻繁にユーザの承諾が得られないような受信方向が選択候補として装置側で選別されるようなケースが連続する場合には、第１モードから第２モードに切換えられる。なお、ここでは、Ｓ４０７の決定が３回、連続して行なわれることによって、第１モードから第２モードへの切換わるものとして説明したが、３回ではなく、２回、あるいは３回以上の複数回であってもよい。
【０１２３】
次に、以上、説明した各実施形態のさらなる変形例に言及する。
【０１２４】
（１）  第２実施形態に係る表示手法は、第１実施形態、第３実施形態、および第４実施形態のいずれに適用してもよい。また、第３実施形態に係る放送受信装置１００の処理として、第４実施形態を採用してもよい。
【０１２５】
（２）  第１モード処理（図６参照）は、さらに、次のように変形することも可能である。すなわち、Ｓ４０６およびＳ４０９のステップを削除する。そして、Ｓ４０５で拒否信号が入力されたと判断された場合には、Ｓ４０７に進むように構成する。
【０１２６】
これにより、Ｓ４０２において、装置側で特定した“お奨め”の受信方向がユーザによって拒否された場合には、即座にオートスキャン記憶領域が参照されて受信方向が決定されることになる。
【０１２７】
このように変形したときには、さらに、第２モードへの切換えに関する条件についても次の２とおりのいずれかにすることが考えられる。１つは、図６と同様に、Ｓ４０７で受信方向が決定されれば、その段階で第２モードへ切換える手法である。もう１つは、第４実施形態と同様に、オートスキャン記憶領域が参照されて受信方向が決定されることが複数回、連続して発生したときに、第２モードへ切換える手法である。なお、後者の手法を採用するためには、第４実施形態と同様に、Ｓ４１１〜Ｓ４１４のステップを付け加えればよい。
【０１２８】
（３）  図９(Ｂ)および図９(Ｃ)では、ユーザが所望の受信方向を画面から選択する構成とした。しかしながら、これに換えて、採用したくない受信方向を順次、ユーザが選択していく、いわゆる消去方式で受信方向を選択できるようにしてもよい。
【０１２９】
具体的には、図９(Ｂ)に示されるように、受信方向[１]を選択状態とした上で決定操作をすることによって、画面４００から受信方向[１]に対応する受信方向選択候補４０２が消去される。同様に、受信方向[２]を選択状態とした上で決定操作をすることによって、画面４００から受信方向[２]に対応する受信方向選択候補４０３が消去される。
【０１３０】
このような操作が繰返し行なわれた結果、受信方向選択候補数が絞れた段階で、残っている受信方向選択候補について、図９(Ｃ)に示されるように重ね表示を行なう。その後、さらに、ユーザによる同様の操作が繰り返されることによって、最終的には受信方向が決定されることになる。
【０１３１】
なお、この場合、表示エリアを拡大した上で各々の表示エリアの一部を重ねて表示させる重ね表示は、受信方向選択候補が図９(Ｃ)に示されるように２つになる前に行なう（たとえば、５つから４つになった段階）ようにしてもよい。
【０１３２】
（４）  図９(Ｂ)に示される表示例では、各受信方向選択候補の表示エリア内に受信方向を表示するものした。しかしながら、このような受信方向は表示しないようにしてもよい。あるいは、図９(Ｂ)の受信方向選択候補４０２のように選択状態となったもののみについて、受信方向を表示するものであってもよい。
【０１３３】
（５）  図３のＳ１０７に示す重ね表示を行なう前に、モニタ４０に、録画時刻までの残り時間が短い旨の警告メッセージを表示し、さらに、そのタイミングから所定時間が経過したときに、Ｓ１０７の重ね表示をするようにしてもよい。
【０１３４】
（６）  上記各実施形態では、放送受信装置とモニタ４０とが分離した構成を説明した。しかしながら、これに換えて、放送受信装置１、１００に、モニタ４０を具備させてもよい。すなわち、放送受信装置をデジタルチューナー内蔵型のテレビで構成することも考えられる。この場合、放送受信装置１は、録画機能を備えたテレビに相当する。
【０１３５】
（７）  上記の実施形態では、可変指向性アンテナとして、電気的に指向性を調整するものを示したが、例えばアンテナの方位角をモータによって変更するような機械的に指向性を調整することもできる構成も使用できる。また、アンテナとしては、可変指向性アンテナ３０限られるものではなく、指向性を可変できるものであれば、種々のものを使用することができる。
【０１３６】
（８）  上記実施形態によって、以下の発明がさらに開示される。
【０１３７】
（８−１）  指向性を可変可能な可変指向性アンテナ（３０）と接続される放送受信装置（１）であって、放送チャンネルのうちの録画が予約されている予約チャンネルに対応する録画開始時刻の所定時間前であるか否かを判別する所定時間判別手段（Ｓ１）と、前記可変指向性アンテナに対して、指向性の切換えを指令する指向性切換信号を出力する切換信号出力部（受信方向切換部２４）と、前記所定時間判別手段が前記所定時間前であると判別したときに（Ｓ５中のＳ１０１の受信方向選択候補選別処理は、Ｓ１でＹＥＳと判断された後に実行される）、前記切換信号出力部から前記指向性切換信号を出力することによって前記可変指向性アンテナの指向性を順次変化させて、前記予約チャンネルによる放送の受信に適する指向性を選別する指向性選別手段（Ｓ１０１）と、該指向性選別手段が前記選別を開始するときに所定のメッセージを前記画面に表示するためのメッセージ表示信号を出力するメッセージ表示信号出力手段（Ｓ４）と、前記指向性選別手段の選別結果に含まれる各々の指向性で前記予約チャンネルによる放送を受信したときの各映像データを記憶する映像データ記憶手段（Ｓ３０４：受信方向選択候補記憶領域）と、該映像データ記憶手段が記憶している複数の映像データを一画面にまとめて展開した映像を前記選別結果を示す映像として生成する手段であって、複数の映像データを一画面にまとめて展開するときに、一の映像データの一部を他の映像データの一部と重ね合わせる重ね合わせ機能を備える（Ｓ１１０：図９（Ｃ））選別結果映像生成手段（Ｓ１０２：図９（Ｂ）、Ｓ１１０：図９（Ｃ））と、該選別結果映像生成手段が生成した前記選別結果を示す映像を前記画面に表示するための選別結果表示信号を出力する選別結果表示信号出力手段（Ｓ１０２）と、前記指向性選別手段の選別結果の中からユーザが指定した指向性を示す指向性指定信号に基づいて、前記予約チャンネルに対応する前記可変指向性アンテナの指向性を決定する指向性決定手段（Ｓ１１３）と、前記予約チャンネルによる録画開始時刻前に、前記可変指向性アンテナの指向性を前記指向性決定手段の決定に従う指向性に切換えるための指向性切換信号を前記切換信号出力部から出力させる指向性切換手段（Ｓ６）と、前記予約チャンネルに対応する録画開始時刻の予め定めた第１制限時間（Ｓ１０５：絞込み時間）前までに前記指向性指定信号が入力されないとき（Ｓ１０５でＹＥＳ）に、前記選別結果に含まれる複数の指向性選択候補の中から指向性選択候補を絞り込む絞込手段（Ｓ１０６）とを備え、前記選別結果表示信号出力手段は、前記選別結果を示す映像を、前記絞込手段が絞り込んだ指向性選択候補を示す映像に切換えるための表示信号を出力（Ｓ１０７）し、前記指向性決定手段は、前記予約チャンネルに対応する録画開始時刻の前記第１制限時間よりも短い所定の第２制限時間（Ｓ１０９：手動設定待ち限界時間）前までに前記指向性指定信号が入力されないとき（Ｓ１０９でＹＥＳ）に、前記指向性選別手段の選別結果の中から自動的に前記予約チャンネルに対応する前記可変指向性アンテナの指向性を決定する（Ｓ１１０）ことを特徴とする、放送受信装置。
【０１３８】
（８−２）  指向性を可変可能な可変指向性アンテナ（３０）と接続される放送受信装置（１）であって、前記可変指向性アンテナに対して、指向性の切換えを指令する指向性切換信号を出力する切換信号出力部（受信方向切換部２４）と、放送チャンネルと当該放送チャンネルの放送を受信するときの前記可変指向性アンテナの指向性との対応関係を記憶する対応関係記憶手段（メモリ１０ｂに構成されるオートスキャン記憶領域）と、放送チャンネルのうちの録画が予約されている予約チャンネルに対応する録画開始時刻の所定時間前であるか否かを判別する所定時間判別手段（Ｓ１）と、該所定時間判別手段が前記所定時間前であると判別したときに、前記切換信号出力部から前記指向性切換信号を出力することによって前記可変指向性アンテナの指向性を順次変化させて前記予約チャンネルによる放送の受信に最適な指向性を特定する（Ｓ４０１、Ｓ５０１）とともに該最適な指向性とは別に前記予約チャンネルの放送の受信に適する指向性をさらに選別する（Ｓ２０６）指向性特定手段（Ｓ８）と、該指向性特定手段が前記指向性の特定および選別を開始するときに所定のメッセージを前記画面に表示するためのメッセージ表示信号を出力するメッセージ表示信号出力手段（Ｓ４）と、前記指向性特定手段の特定結果を画面に表示するための表示信号および前記指向性特定手段の選別結果を画面に表示するための表示信号を出力する結果表示信号出力手段（Ｓ４０２、Ｓ４０９、Ｓ５０７）と、前記予約チャンネルに対応する前記可変指向性アンテナの指向性を決定する指向性決定手段（第１モード処理のＳ４０４とＳ４０７、第２モード処理のＳ５０９とＳ５１２）と、前記予約チャネルによる録画開始時刻前に、前記可変指向性アンテナの指向性を前記指向性決定手段の決定に従う指向性に切換えるための指向性切換信号を前記切換信号出力部から出力させる指向性切換手段（Ｓ６）とを備え、前記指向性決定手段は、前記指向性特定手段が特定した前記最適な指向性によって前記予約チャンネルの放送を受信することにユーザが承諾したことを示す承諾信号が入力されたとき（Ｓ４０１で特定された指向性に対してＳ４０３でＹＥＳ）に、前記予約チャンネルに対応する前記可変指向性アンテナの指向性を前記指向性特定手段が特定した指向性にすることを決定（Ｓ４０４）し、前記予約チャンネルの放送の受信に最適な指向性とは別に前記指向性特定手段が選別した指向性によって前記予約チャンネルの放送を受信することにユーザが承諾したことを示す承諾信号が入力されたとき（Ｓ４０９で特定された指向性に対してＳ４０３でＹＥＳ）に、前記予約チャンネルに対応する前記可変指向性アンテナの指向性を前記指向性特定手段が選別した指向性にすることを決定（Ｓ４０４）し、前記予約チャンネルの放送の受信に最適な指向性とは別に前記指向性特定手段が選別した指向性によって前記予約チャンネルの放送を受信することをユーザが拒否したことを示す拒否信号が入力されたとき（Ｓ４０６ででＹＥＳ）に、前記予約チャンネルに対応する前記可変指向性アンテナの指向性を、前記対応関係記憶手段が記憶している前記予約チャンネルに対応する指向性にすることを決定する（Ｓ４０７）第１指向性決定���段（第１モード処理のＳ４０４とＳ４０７）と、前記指向性特定手段が特定した前記最適な指向性と、前記対応関係記憶手段に記憶されている前記予約チャンネルに対応する指向性とのうち、後者の方が前記予約チャンネルによる放送をより良好に受信できるとき（Ｓ５０６でＮＯ）に前記予約チャンネルに対応する前記可変指向性アンテナの指向性を、前記対応関係記憶手段が記憶している前記予約チャンネルに対応する指向性にすることを決定（Ｓ５１２）し、前記指向性特定手段が特定した前記最適な指向性と、前記対応関係記憶手段に記憶されている前記予約チャンネルに対応する指向性とのうち、前者の方が前記予約チャンネルによる放送をより良好に受信でき（Ｓ５０６でＹＥＳ）かつ前者によって前記予約チャンネルの放送を受信することにユーザが承諾したことを示す承諾信号が入力されたとき（Ｓ５０８でＹＥＳ）に前記予約チャンネルに対応する前記可変指向性アンテナの指向性を、前記指向性特定手段が特定した前記最適な指向性にすることを決定し、前記指向性特定手段が特定した前記最適な指向性と、前記対応関係記憶手段に記憶されている前記予約チャンネルに対応する指向性とのうち、前者の方が前記予約チャンネルによる放送をより良好に受信でき（Ｓ５０６でＹＥＳ）かつ前者によって前記予約チャンネルの放送を受信することをユーザが拒否したことを示す拒否信号が入力されたとき（Ｓ５１１でＹＥＳ）に前記予約チャンネルに対応する前記可変指向性アンテナの指向性を、前記対応関係記憶手段が記憶している前記予約チャンネルに対応する指向性にすることを決定する（Ｓ５１２）第２指向性決定手段（第２モード処理のＳ５０９とＳ５１２）とを含み、さらに、前記放送受信装置は、前記第１指向性決定手段により前記予約チャンネルに対応する前記可変指向性アンテナの指向性を決定する第１モード（Ｓ２１０）と、前記第２指向性決定手段により前記予約チャンネルに対応する前記可変指向性アンテナの指向性を決定する第２モード（Ｓ２１１）とに前記放送受信装置の動作モードを切換える動作モード切換手段（Ｓ４０８、Ｓ５１０）を備え、該動作モード切換手段は、前記第１モードにおいて、前記第１指向性決定手段が前記拒否信号の入力を受けて前記可変指向性アンテナの指向性を前記対応関係記憶手段が記憶している前記予約チャンネルに対応する指向性にすることを決定したときに、前記第１モードから前記第２モードに切換え（Ｓ４０８）、前記第２モードにおいて、前記第２指向性決定手段が前記予約チャンネルに対応する前記可変指向性アンテナの指向性を前記指向性特定手段が特定した前記最適な指向性にすることを決定したときに前記第２モードから前記第１モードに切換え（Ｓ５１０）、前記指向性切換手段は、前記第１モードにおいては前記第１指向性決定手段の決定に従う指向性に切換えるための指向性切換信号を前記切換信号出力部から出力させ、前記第２モードにおいては前記第２指向性決定手段の決定に従う指向性に切換えるための指向性切換信号を前記切換信号出力部から出力させることを特徴とする、放送受信装置。
【０１３９】
（９）  今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１４０】
【図１】放送受信装置の概略構成図である。
【図２】予約録画処理を説明するためのフローチャートである。
【図３】手動設定処理を説明するためのフローチャートである。
【図４】受信方向選択候補選別処理を説明するためのフローチャートである。
【図５】自動検索処理を説明するためのフローチャートである。
【図６】第１モード処理を説明するためのフローチャートである。
【図７】第２モード処理を説明するためのフローチャートである。
【図８】ユーザ設定処理および設定データを説明するための図である。
【図９】設定画面を示す図である。
【図１０】設定画面を示す図である（第２実施形態）。
【図１１】放送受信装置の概略構成図である（第３実施形態）。
【図１２】第１モード処理２を説明するためのフローチャートである（第４実施形態）。
【符号の説明】
【０１４１】
１，１００  放送受信装置、１０  制御部、１０ａ  ＣＰＵ、１０ｂ  メモリ、１６  チューナ、１８  デジタル復調器、２０  アナログ復調器、２１  ＯＳＤ回路、２２  ＭＰＥＧデコーダ、２３  映像合成部、２４  受信方向切換部、２６  リモコン受信部、３０  可変指向性アンテナ、４０  モニタ、４２  リモコン、７０  録画部。
【図１】
2006129013.tif 000003
【図２】
2006129013.tif 000004
【図３】
2006129013.tif 000005
【図４】
2006129013.tif 000006
【図５】
2006129013.tif 000007
【図６】
2006129013.tif 000008
【図７】
2006129013.tif 000009
【図８】
2006129013.tif 000010
【図９】
2006129013.tif 000011
【図１０】
2006129013.tif 000012
【図１１】
2006129013.tif 000013
【図１２】
2006129013.tif 000014